(57)【特許請求の範囲】
【請求項１】
それぞれが、測定対象の部屋の部位について表面温度を測定するよう配置された測定装置と、
それぞれが、接続される複数の前記測定装置からデータを収集するデータ収集装置と、
建物ごとに配置され、前記データ収集装置に接続されるデータ送信装置とを含み、
前記測定装置のそれぞれが、接続されている前記データ収集装置から送信される指示に応じて前記部位の表面温度を測定し、前記測定の結果として得られた測定データを当該データ収集装置に送信し、
前記データ収集装置のそれぞれが、接続される複数の前記測定装置から受信した前記測定データをまとめて前記データ送信装置に送信し、
前記データ送信装置は、前記データ収集装置から受信した前記測定データを、サーバに送信することを特徴とする測定情報処理システム。
【請求項２】
前記データ収集装置は、
測定対象の部屋ごとに配置され、
接続される複数の前記測定装置と同じ部屋に配置されていることを特徴とする、請求項１に記載の測定情報処理システム。
【請求項３】
前記データ収集装置のそれぞれは、
計時手段を備え、
前記指示を、接続される複数の前記測定装置に第１インターバルで一斉に送信し、
共通の装置から受信した時刻情報に応じて、前記計時手段の時刻を調整し、
前記第１インターバルが、前記計時手段から提供される時刻に基づいて決定されることを特徴とする、請求項１に記載の測定情報処理システム。
【請求項４】
前記サーバは、
前記測定データのそれぞれを、前記測定データが測定された前記部位に対応付けて管理し、
ユーザの要求に応じて、前記測定データを、前記測定データに対応付けられた前記部位の位置に関連づけて表示した画像データを提供することを特徴とする、請求項１に記載の測定情報処理システム。
【請求項５】
前記データ送信装置が前記測定データを前記サーバに送信する第２インターバルが、前記第１インターバルより長い時間であることを特徴とする、請求項３に記載の測定情報処理システム。
【請求項６】
複数の測定装置に接続されるデータ収集装置であって、
計時手段を備え、
接続される複数の前記測定装置に、測定対象の部屋の部位について表面温度を測定させるための指示を、第１インターバルで一斉に送信し、
接続される複数の前記測定装置が、前記部位について表面温度を測定した場合に、前記測定装置のそれぞれから測定データを受信し、
受信した前記測定データを、第２インターバルでまとめて他の装置に送信し、
他の装置から受信した時刻情報に応じて、前記計時手段の時刻を調整し、
前記第１インターバルを、前記計時手段から提供される時刻に基づいて決定することを特徴とするデータ収集装置。
【請求項７】
それぞれが、測定対象の部屋の部位について表面温度を測定するよう配置された測定装置と、それぞれが、接続される複数の前記測定装置からデータを収集するデータ収集装置と、建物ごとに配置され、前記データ収集装置に接続されるデータ送信装置とを含む測定情報処理システムで実行される測定情報処理方法であって、
前記測定装置のそれぞれにおいて、接続される前記データ収集装置から送信される指示に応じて前記部位の表面温度を測定し、前記測定の結果として得られた測定データを当該データ収集装置に送信するステップと、
前記データ収集装置のそれぞれにおいて、接続される複数の前記測定装置から受信した前記測定データをまとめて前記データ送信装置に送信するステップと、
前記データ送信装置において、前記データ収集装置から受信した前記測定データを、サーバに送信するステップとを有することを特徴とする測定情報処理方法。
【請求項８】
複数の測定装置に接続され、かつ、計時手段を備えるデータ収集装置で実行される測定情報処理方法であって、
接続される複数の前記測定装置に、測定対象の部屋の部位について表面温度を測定させるための指示を、第１インターバルで一斉に送信するステップと、
接続される複数の前記測定装置が、前記部位について表面温度を測定した場合に、前記測定装置のそれぞれから測定データを受信するステップと、
受信した前記測定データを、第２インターバルでまとめて他の装置に送信するステップと、
他の装置から受信した時刻情報に応じて、前記計時手段の時刻を調整するステップと、
前記第１インターバルを、前記計時手段から提供される時刻に基づいて決定するステップとを有することを特徴とする測定情報処理方法。
【発明の詳細な説明】
【技術分野】
【０００１】
この発明は、建物の温度等に関する測定情報を収集し分析するための測定情報処理システムに関する。
【背景技術】
【０００２】
従来より、住宅のような建物における性能（例えば、省エネルギーの程度や健康的な環境であるか否か）を診断するために、室温や外気温といった、建物に関する様々な情報のモニタリングが行われている。例えば、所定の時間間隔で部屋の温度を測定し、当該測定によって得られた温度を時系列に記憶するロギング機能を備えた室温測定装置を各部屋に配置し、それぞれの部屋の室温測定装置に記憶された時系列温度データに基づいて、建物の性能を診断することができる。
【０００３】
また、建物の利用者・運営者や住宅の居住者であるユーザは、こうして診断された建物の性能を１つの判断材料として、より好ましい性能を実現するために、リフォームの内容や建て替えの是非を検討することができる。
【０００４】
特許文献１では、住宅設備等を診断して得た測定データを、予め定めた基準により解析する、住宅解析診断システムが提案されている。この住宅解析診断システムは、例えば、住宅設備の基礎測定を行う場合に、診断対象物となっている積層構造体の表面における放射温度分布を画像データ状に形成し、該積層構造体に発生する熱流変化のうち、高温側と低温側に当たる両側面近傍における外気温度と相対湿度とを所定の時間間隔で時系列に測定する。
【先行技術文献】
【特許文献】
【０００５】
【特許文献１】特開２００２−３１７５６０号公報
【発明の概要】
【発明が解決しようとする課題】
【０００６】
しかしながら、特許文献１の住宅解析診断システムでは、温度等の情報を、住宅内の複数の部屋から取得するといった構成については記載がない。また、特許文献１には、当該住宅解析診断システムにおいて、積層構造体の表面における放射温度分布を画面データ状に形成する旨の記載はあるが、住宅内の部屋の各部位（例えば、壁、床、天井、窓等）について、表面温度（放射温度）を時系列で取得する構成については開示されていない。
【０００７】
さらに、特許文献１の住宅解析診断システムでは、表面温度を複数カ所において計測する発想はなく、１つの部屋の複数の部位について表面温度を計測する構成や、住宅内の複数の部屋のそれぞれの部位について表面温度を計測するといった構成については開示がない。
【０００８】
一方、１つの部屋の複数の部位について表面温度を計測する場合や、住宅内の複数の部屋のそれぞれの部位について表面温度を計測する場合に、計測する箇所ごとに市販の表面温度センサを用意して、それらの表面温度センサから個別に計測結果を取得するようにすることができる。
【０００９】
しかしながら、そのような構成で表面温度センサを用いると、各表面温度センサから測定データを個別に取得し管理する作業が繁雑になるという問題がある。また、それぞれの表面温度センサが所定のタイミングで計測を繰り返すように設定されている場合、当該計測がタイマにより制御されていたとしても、長時間使用する間に、複数の表面温度センサがそれぞれ異なるタイミングで計測を行うようになり、結果的に、各表面温度センサにおける測定タイミングを同期させることができず、建物全体、または部屋全体の状態を高精度に把握することができないという問題もある。
【００１０】
さらに、複数の部屋のそれぞれの部位について表面温度を測定する場合に、これらの測定結果を、建物の見取り図や部屋の表示図面とともに表示するユーザインターフェースがなく、表面温度の測定位置と測定データをビジュアルな分かりやすい表現で表示する仕組みはいままでに提案されていない。
【００１１】
上述した特許文献１の住宅解析診断システムは、表面温度を複数カ所において計測する構成でないため、当然に、上述した問題を解決する方法についての提案はされていない。また、既存のシステムにおいても、上記の問題を解決する構成を備えるものはない。
【００１２】
したがって、本発明の目的は、建物内の複数の部屋における各部位の表面温度を時系列で測定し、それらの測定データを自動的にまとめてサーバに送信する測定情報処理システムを提供することにある。
【００１３】
また、本発明の目的は、それぞれの部屋で測定された複数の部位における表面温度を、同期されたタイミングで取得するよう制御する測定情報処理システムを提供することにある。
【００１４】
さらに、本発明の目的は、それぞれの部屋で測定された複数の部位における表面温度を、測定対象の部屋の部位と関連付けて表示するよう制御する測定情報処理システムを提供することにある。
【課題を解決するための手段】
【００１５】
本発明の第１の実施態様は、
それぞれが、測定対象の部屋の部位について表面温度を測定するよう配置された測定装置と、
それぞれが、接続される複数の前記測定装置からデータを収集するデータ収集装置と、
建物ごとに配置され、前記データ収集装置に接続されるデータ送信装置とを含む測定情報処理システムであって、
前記測定装置のそれぞれが、接続されている前記データ収集装置から送信される指示に応じて前記部位の表面温度を測定し、前記測定の結果として得られた測定データを当該データ収集装置に送信し、
前記データ収集装置のそれぞれが、接続される複数の前記測定装置から受信した前記測定データをまとめて前記データ送信装置に送信し、
前記データ送信装置は、前記データ収集装置から受信した前記測定データを、サーバに送信するように構成される。
【００１６】
このような本発明に係る測定情報処理システムによって、建物内の複数の部屋における各部位の表面温度を時系列で測定し、それらの測定データを自動的にまとめてサーバに送信することができる。
【００１７】
本発明の第２の実施態様は、第１の実施態様において、以下のように構成される。
前記データ収集装置は、
測定対象の部屋ごとに配置され、
接続される複数の前記測定装置と同じ部屋に配置されている。
【００１８】
本発明の第３の実施態様は、第１の実施態様において、以下のように構成される。
前記データ収集装置のそれぞれは、
計時手段を備え、
前記指示を、接続される複数の前記測定装置に第１インターバルで一斉に送信し、
共通の装置から受信した時刻情報に応じて、前記計時手段の時刻を調整し、
前記第１インターバルが、前記計時手段から提供される時刻に基づいて決定される。
【００１９】
本発明の第４の実施態様は、第１の実施態様において、以下のように構成される。
前記サーバは、
前記測定データのそれぞれを、前記測定データが測定された前記部位に対応付けて管理し、
ユーザの要求に応じて、前記測定データを、前記測定データに対応付けられた前記部位の位置に関連づけて表示した画像データを提供する。
【００２０】
本発明の第５の実施態様は、第３の実施態様において、以下のように構成される。
前記データ送信装置が前記測定データを前記サーバに送信する第２インターバルが、前記第１インターバルより長い時間である。
【００２１】
本発明の第６の実施態様は、
複数の測定装置に接続されるデータ収集装置であって、
計時手段を備え、
接続される複数の前記測定装置に、測定対象の部屋の部位について表面温度を測定させるための指示を、第１インターバルで一斉に送信し、
接続される複数の前記測定装置が、前記部位について表面温度を測定した場合に、前記測定装置のそれぞれから測定データを受信し、
受信した前記測定データを、第２インターバルでまとめて他の装置に送信し、
他の装置（上述の他の装置、またはそれ以外の別の装置）から受信した時刻情報に応じて、前記計時手段の時刻を調整し、
前記第１インターバルを、前記計時手段から提供される時刻に基づいて決定するように構成される。
【００２２】
本発明の第７の実施態様は、
それぞれが、測定対象の部屋の部位について表面温度を測定するよう配置された測定装置と、それぞれが、接続される複数の前記測定装置からデータを収集するデータ収集装置と、建物ごとに配置され、前記データ収集装置に接続されるデータ送信装置とを含む測定情報処理システムで実行される測定情報処理方法であって、
前記測定装置のそれぞれにおいて、接続される前記データ収集装置から送信される指示に応じて前記部位の表面温度を測定し、前記測定の結果として得られた測定データを当該データ収集装置に送信するステップと、
前記データ収集装置のそれぞれにおいて、接続される複数の前記測定装置から受信した前記測定データをまとめて前記データ送信装置に送信するステップと、
前記データ送信装置において、前記データ収集装置から受信した前記測定データを、サーバに送信するステップとを有するように構成される。
【００２３】
本発明の第８の実施態様は、
複数の測定装置に接続され、かつ、計時手段を備えるデータ収集装置で実行される測定情報処理方法であって、
接続される複数の前記測定装置に、測定対象の部屋の部位について表面温度を測定させるための指示を、第１インターバルで一斉に送信するステップと、
接続される複数の前記測定装置が、前記部位について表面温度を測定した場合に、前記測定装置のそれぞれから測定データを受信するステップと、
受信した前記測定データを、第２インターバルでまとめて他の装置に送信するステップと、
他の装置（上述の他の装置、またはそれ以外の別の装置）から受信した時刻情報に応じて、前記計時手段の時刻を調整するステップと、
前記第１インターバルを、前記計時手段から提供される時刻に基づいて決定するステップとを有するように構成される。
【発明の効果】
【００２４】
本発明に係る測定情報処理システムによって、建物内の複数の部屋における各部位の表面温度を時系列で測定し、それらの測定データをまとめてサーバに送信することができ、その結果、簡単な構成で、建物内の複数の部屋における様々な部位の表面温度を把握することができる。
【００２５】
また、本発明に係る測定情報処理システムによって、それぞれの部屋で測定された複数の部位における表面温度を、同期されたタイミングで取得するよう制御することができ、その結果、建物全体、または部屋全体の状態を高精度に把握することができる。
【００２６】
さらに、本発明に係る測定情報処理システムによって、それぞれの部屋で測定された複数の部位における表面温度を、測定対象の部屋の部位と関連付けて表示するよう制御することができ、その結果、建物内の複数の部屋における様々な部位の表面温度をグラフィック表示により容易に把握することができる。
【図面の簡単な説明】
【００２７】
【図１】本発明に係る測定情報処理システムの概要を説明するための概略図である。
【図２】本発明に係る測定情報処理システムの概要を説明するための概略図である。
【図３】本発明に係る測定情報処理システムにおいて利用されるデータ収集装置と測定装置の配置例を示す図である。
【図４】本発明に係る測定情報処理システムのサーバを構成するコンピュータのハードウエア構成の例を示す略線図である。
【図５】本発明に係る測定情報処理システムのデータ送信装置を構成するコンピュータのハードウエア構成の例を示す略線図である。
【図６】本発明に係る測定情報処理システムのデータ収集装置を構成するコンピュータのハードウエア構成の例を示す略線図である。
【図７】本発明に係る測定情報処理システムの測定装置を構成するコンピュータのハードウエア構成の例を示す略線図である。
【図８】本発明に係る測定情報処理システムの閲覧装置を構成するコンピュータのハードウエア構成の例を示す略線図である。
【図９】本発明に係る測定情報処理システムに含まれるサーバの機能ブロック図である。
【図１０】本発明に係る測定情報処理システムに含まれるデータ送信装置の機能ブロック図である。
【図１１】本発明に係る測定情報処理システムに含まれるデータ収集装置の機能ブロック図である。
【図１２】本発明に係る測定情報処理システムに含まれる測定装置の機能ブロック図である。
【図１３】本発明に係る測定情報処理システムに含まれる閲覧装置の機能ブロック図である。
【図１４】本発明に係る測定情報処理システムで表示されるセンサ管理画面の例を示す略線図である。
【図１５】本発明に係る測定情報処理システムで表示されるマーカ追加画面の例を示す略線図である。
【図１６】本発明に係る測定情報処理システムで表示されるマーカ追加画面の例を示す略線図である。
【図１７】本発明に係る測定情報処理システムで表示される温湿度表示画面の例を示す略線図である。
【図１８】本発明に係る測定情報処理システムで表示されるマーカ追加画面の例を示す略線図である。
【図１９】本発明に係る測定情報処理システムで表示される放射温度表示画面の例を示す略線図である。
【図２０】本発明に係る測定情報処理システムで表示されるメール通知設定画面の例を示す略線図である。
【図２１】本発明に係る測定情報処理システムで表示されるメール通知設定画面の例を示す略線図である。
【発明を実施するための形態】
【００２８】
最初に、本発明の一実施形態に係る測定情報処理システムの概要を、図１を参照して説明する。本発明の一実施形態に係る測定情報処理システム１は、図１に示すように、サーバ４１、データ送信装置２０、データ収集装置２１、および測定装置２２を含んでいる。サーバ４１は、データ送信装置２０から、建物の各部屋の各部位について測定した結果得られた測定データを受信し、これらの測定データに基づいて分析を行ったり、所定の形式での表示データ等を提供したりする機能を有する。
【００２９】
この例では、建物１０は、３つの個別の建物（１０Ａないし１０Ｃ）であり、建物１０Ａは、３つの部屋（１４Ａ−１ないし１４Ａ−３）を有し、建物１０Ｂは、３つの部屋（１４Ｂ−１ないし１４Ｂ−３）を有し、建物１０Ｃは、２つの部屋（１４Ｃ−１、および１４Ｃ−２）を有している。
【００３０】
また、測定情報処理システム１では、通常、サーバ４１は１つだけ配置され、データ送信装置２０は、測定対象の建物ごとに１つ配置され、データ収集装置２１は、測定対象の部屋ごとに１つ配置され、測定装置２２は、各部屋において、測定対象の部位ごとに１対１で配置される。
【００３１】
サーバ４１は、上述したように、それぞれのデータ送信装置２０から、すなわち、建物１０Ａに配置されたデータ送信装置２０、建物１０Ｂに配置されたデータ送信装置２０、および、建物１０Ｃに配置されたデータ送信装置２０から測定データを受信するが、この測定データには、図１に示すように、室温・湿度測定データ２４と、表面温度測定データ２５が含まれる。また、サーバ４１は、測定データを、インターネットのようなネットワーク（有線ネットワーク、および無線ネットワークの両方から構成されうる）、およびルータのようなネットワーク接続制御装置を含むネットワーク４２を介して、所定のプロトコル（例えば、ｈｔｔｐｓ）により、データ送信装置２０から受信する。
【００３２】
それぞれのデータ送信装置２０は、そのデータ送信装置２０が配置されている建物で測定対象となっている部屋に対応するそれぞれのデータ収集装置２１から、測定データを受信する。また、この例では、データ送信装置２０は、無線ネットワークを介して所定の通信プロトコルにより、それぞれのデータ収集装置２１から、測定データを受信する。
【００３３】
また、データ収集装置２１は、そのデータ収集装置２１が配置されている部屋の室温（部屋の気温）と湿度を測定し、これを、上述した室温・湿度測定データ２４として測定データに含め、データ送信装置２０に送信する。
【００３４】
さらに、データ収集装置２１は、そのデータ収集装置２１が配置されている部屋で測定対象となっている部位に対応するそれぞれの測定装置２２から測定データを受信する。また、この例では、データ収集装置２１は、所定のケーブルによって（すなわち、有線ネットワークによって）それぞれの測定装置２２に接続され、当該接続された測定装置２２から測定データを受信する。なお、ここでは、データ収集装置２１は、８ポートのハブを経由して測定装置２２に接続されるが、図１、および後で説明する図２、図３では記載を省略している。
【００３５】
また、測定装置２２は、測定対象の部位（例えば、壁、天井、床、窓等）の表面温度を測定し、これを、上述した表面温度測定データ２５として測定データに含め、データ収集装置２１に送信する。
【００３６】
測定装置２２は、測定対象に応じて、部屋ごとに異なる数を配置することができる。この例では、建物１０Ａの各部屋に６個（建物１０Ａ全体では１８個）、建物１０Ｂの各部屋に６個（建物１０Ｂ全体では１８個）、建物１０Ｃの各部屋に４個（建物１０Ｃ全体では８個）、配置されている。また、測定対象とする部屋も、任意に選択することができる。
【００３７】
測定情報処理システム１はまた、図１に示すように、所定の形式での表示データ等を閲覧用データ２６として、サーバ４１から閲覧装置２３に提供することができる。閲覧装置２３は、例えば、市販のＰＣ（パーソナルコンピュータ）である。サーバ４１から提供される閲覧用データ２６には、測定データを建物の見取り図に対応付けて示すためのＨＴＭＬデータや、測定データに基づく分析結果を表示するためのＨＴＭＬデータ等が含まれ、閲覧装置２３は、これらの閲覧用データ２６がＷＥＢブラウザ等によってディスプレイに表示される。
【００３８】
この例では、閲覧装置２３は、建物１０Ｂに配置され、その建物のユーザ（例えば、住宅の居住者）により閲覧されるようになっているが、閲覧装置２３をどの建物に配置してもよい。また、住宅等のモニタリングや研究・調査・分析のために、測定対象の建物以外に配置された閲覧装置２３に閲覧用データ２６を送信することができる。
【００３９】
測定情報処理システム１の概要は上述の通りであるが、より詳細な処理の内容を、図２を参照して説明する。図２は、図１に示した建物１０Ａの部屋１４Ａ−１についての構成を表示しており、ここでは、部屋１４Ａ−１に関する処理を例にとって、詳細な説明を行うものとする。
【００４０】
最初に、データ収集装置２１は、測定タイミングに応じて所定のタイミング、所定のインターバルで起動するよう制御される（図２の「（１）定刻に起動」に対応）。このとき、データ収集装置２１は、例えば、１０分間隔といった所定のインターバルで起動されうる。起動したデータ収集装置２１は、データ収集装置２１が備える温度センサによって室温を測定し、さらに湿度センサによって湿度を測定し（図２の「（２）室温・湿度測定」に対応）、測定結果として、室温・湿度測定データ２４を取得する。このように、本実施形態では、データ収集装置２１は、それぞれの測定装置２２から測定データを収集するだけでなく、部屋全体の室温と湿度を測定する測定装置としても機能する。
【００４１】
次に、データ収集装置２１から、接続されたそれぞれの測定装置２２（例えば、図２に示す測定装置２２Ａないし測定装置２２Ｆ）に対して、起動指示が送信される（図２の「（３）起動指示」に対応）。それぞれの測定装置２２は、この起動指示に応答して、測定対象の部屋の所定部位について表面温度の測定を行う（図２の「（４）表面温度測定」に対応）。その後、それぞれの測定装置２２は、データ収集装置２１に測定データ（表面温度測定データ２５）を送信する（図２の「（５）データ送信」に対応）。測定装置２２は、データ送信を終了すると、次の起動タイミングまで電源ＯＦＦ、または待機モード（省電力モード）となる。
【００４２】
ここで送信される測定データには、測定された表面温度を表すデータと、測定装置２２を、少なくとも測定情報処理システム１のなかでユニークに識別する測定装置識別子（例えば、測定装置２２のシリアルＮＯ）が含まれる。
【００４３】
なお、データ収集装置２１が、それぞれの測定装置２２から測定データを受信するポートを識別可能な場合、データ収集装置２１は個々の測定装置２２を識別することができるので、測定装置２２は、測定データに、上述の測定装置識別子を含めないように設計することができる。また、その他、データ収集装置２１が、ネットワークアドレス等、他のデータによって個々の測定装置２２を識別することができる場合も同様である。
【００４４】
測定装置２２による表面温度の測定は、データ収集装置２１から起動指示を受信するタイミングに応じて（例えば、１０分間隔のインターバル）で行われる。データ収集装置２１は、測定装置２２から測定データ（表面温度測定データ２５）を受信すると、これに、自身の測定結果である室温・湿度測定データ２４を付加し、これらを測定データとしてデータ送信装置２０に送信する（図２の「（６）データ送信」に対応）。データ収集装置２１は、測定装置２２から測定データを受信する度にデータ送信装置２０にその測定データを送信するようにしてもよいし、測定装置２２から受信した測定データを所定期間蓄積した後に、より長いインターバルで、その蓄積された測定データをデータ送信装置２０に送信するようにしてもよい。データ収集装置２１は、データ送信を終了した後待機し、その後、データ送信装置２０から応答メッセージ（時刻情報を含む）を受信すると、次の起動タイミングまで電源ＯＦＦ、または待機モード（省電力モード）となる。また、データ送信装置２０との通信が失敗する場合もあるため、所定時間経過しても応答メッセージが受信できない場合、電源ＯＦＦ、または待機モード（省電力モード）となる。
【００４５】
データ送信装置２０は、データ収集装置２１から測定データ（室温・湿度測定データ２４と表面温度測定データ２５を含むデータ）を受信すると（図２の「（７）データ受信」に対応）、この測定データを一定間隔（または所定のタイミング）で、サーバ４１に送信する（図２の「（１０）一定間隔でデータ送信」に対応）。データ送信装置２０は、データ収集装置２１から測定データを受信する度にサーバ４１にその測定データを送信するようにしてもよいし、データ収集装置２１から受信した測定データを所定期間蓄積した後に、より長いインターバルで、その蓄積された測定データをサーバ４１に送信するようにしてもよい。また、データ送信装置２０は、ネットワークＩＤを保持し、測定データをサーバ４１に送信する際に、当該ネットワークＩＤを付加して送信する。このネットワークＩＤにより、サーバ４１は、それぞれのデータ送信装置２０が、どの建物に配置されたものかを判別することができる。
【００４６】
データ送信装置２０は、データ収集装置２１から測定データを受信（図２の「（７）データ受信」に対応）した直後に、時刻情報を含む応答メッセージをデータ収集装置２１に対して送信する（図２の「（８）応答・時刻通知」に対応）。データ収集装置２１は、データ送信装置２０から、時刻情報を含む応答メッセージを受信すると、これに応じて、応答メッセージの応答を確認し、時刻調整を行う（図２の「（９）応答確認・時刻調整」に対応）。時刻調整は、例えば、受信した時刻情報に基づいて、後述するデータ収集装置２１の計時部の時刻を調整する。ここで、時刻情報は、必ずしもデータ送信装置２０から提供される必要はない。データ送信装置２０とは異なる別の装置から提供されてもよい。
【００４７】
図２に示すように、本発明の一実施形態に係る測定情報処理システム１では、データ収集装置２１の消費電力を抑えるために、「（１）定刻に起動」〜「（９）応答確認・時刻調整」までの一連の処理を、できるだけ短時間で処理するように構成されている。また、図２の「（１０）一定間隔でデータ送信」の処理は、任意のタイミングで実行されうる。
【００４８】
また、この例では、データ送信装置２０とデータ収集装置２１との間の通信は無線ネットワークを利用して行われ、データ収集装置２１と測定装置２２との間の通信は有線ネットワークを利用して行われているが、これらの通信を有線ネットワーク、無線ネットワークのどちらで実現してもよい。また、装置ごと、または装置間の距離や他の条件に応じて、有線ネットワークと無線ネットワークの両方を混在させて上記通信を実現することもできる。
【００４９】
また、この例では、データ収集装置２１が部屋ごとに配置されるが、これに限定されるものではない。例えば、１つの部屋に多くの測定装置２２を配置して、これらの測定装置２２と接続するために、２つのデータ収集装置２１を１つの部屋に配置することもできる。逆に、小さな２つの部屋に配置された測定装置２２を接続するために、１つのデータ収集装置２１を用い、実質的に１つのデータ収集装置２１で２つの部屋を担当するように設定することもできる。またさらに、例えば、３つの部屋に配置されている測定装置２２が、２つのデータ収集装置２１に適宜配分され、接続されるようにすることもできる。
【００５０】
次に、図３を参照して、各部屋において、データ収集装置２１とそれぞれの測定装置２２が、どのような態様で配置されるかについて、その一例を説明する。なお、図３では、データ収集装置２１とそれぞれの測定装置２２の間に配置されるハブ、データ収集装置２１とハブを接続するケーブル、およびそれぞれの測定装置２２とハブを接続するケーブルは省略されている。
【００５１】
図３の例では、データ収集装置２１とそれぞれの測定装置２２（測定装置２２Ａないし測定装置２２Ｆ）が三脚２８によって保持され、図２に示した部屋１４Ａ−１に配置されている。データ収集装置２１とそれぞれの測定装置２２の底面には、三脚２８に取り付けられるようにネジ穴が設けられ、このネジ穴と三脚の一部が治具等によって保持されることにより、データ収集装置２１とそれぞれの測定装置２２の位置決めがされる。
【００５２】
データ収集装置２１は、部屋全体の室温と湿度を測定するため、例えば、部屋１４Ａ−１の床から約１２０ｃｍの高さに配置され、冷暖房装置の温風が直接あたらないなど、冷暖房装置による局所的な影響を受けない位置であることが好ましい。
【００５３】
一方、測定装置２２は、後述するように、例えば、赤外線センサによって測定対象の部位の表面温度を測定するように構成されるため、赤外線センサの赤外線エネルギー検知口が、測定対象の部位に向けられるように保持される。また、測定対象の部位の測定位置（赤外線センサの赤外線エネルギー検知口が向けられる位置）が、冷暖房装置の温風が直接あたらないなど、冷暖房装置による局所的な影響を受けない位置であることが好ましい。
【００５４】
図３の例では、三脚２８の最上部に、データ収集装置２１が保持されている。また、データ収集装置２１の下には、６つの測定装置２２（測定装置２２Ａないし測定装置２２Ｆ）が三脚２８に保持され、それぞれの赤外線センサの赤外線エネルギー検知口が、測定対象の部位に向けられるように位置決めされている。
【００５５】
測定装置２２Ａは、赤外線センサの赤外線エネルギー検知口２２Ａ−１が壁３（図３に示す部屋１４Ａ−１の手前側の壁）に向くよう三脚２８に保持され、壁３の表面温度を測定する。測定装置２２Ｂは、赤外線センサの赤外線エネルギー検知口が壁１（図３に示す部屋１４Ａ−１の奥側の壁）に向くよう三脚２８に保持され、壁１の表面温度を測定する。測定装置２２Ｃは、赤外線センサの赤外線エネルギー検知口が床（図３に示す部屋１４Ａ−１の床）に向くよう三脚２８に保持され、床の表面温度を測定する。
【００５６】
測定装置２２Ｄは、赤外線センサの赤外線エネルギー検知口が窓（図３に示す部屋１４Ａ−１の左側の壁２に配置されている窓）に向くよう三脚２８に保持され、窓の表面温度を測定する。測定装置２２Ｅは、赤外線センサの赤外線エネルギー検知口が壁２（図３に示す部屋１４Ａ−１の左側の壁）に向くよう三脚２８に保持され、壁２の表面温度を測定する。測定装置２２Ｆは、赤外線センサの赤外線エネルギー検知口２２Ｆ−１が天井（図３に示す部屋１４Ａ−１の天井）に向くよう三脚２８に保持され、天井の表面温度を測定する。
【００５７】
また、データ収集装置２１は、建物１０Ａに配置されるデータ送信装置２０との間で、無線通信によりデータ送受信を行う。データ送信装置２０は、各部屋に配置されたそれぞれのデータ収集装置２１と無線通信が可能で、かつサーバ４１と通信可能であれば、どこに配置されてもよい。
【００５８】
ここまで、建物ごとにデータ送信装置２０が１つ配置され、部屋ごとにデータ収集装置２１が１つ配置されるという、基本的な形態について説明したが、これ以外の形態でデータ送信装置２０、データ収集装置２１を配置することもできる。例えば、間取りや無線通信の電波強度等の事情に応じて、より多くのデータ送信装置２０、またはデータ収集装置２１を配置することができる。また、測定装置２２についても、上述の例では一部屋に６つ配置したが、測定対象に応じて、それ以上、またはそれ以下の個数の測定装置２２を配置するようにしてもよい。
【００５９】
また、図３の例では、測定装置２２が個別に配置され、それぞれがデータ収集装置２１に接続されるようになっているが、例えば、６つの測定装置２２を内蔵し、それぞれの測定装置２２に対応する赤外線エネルギー検知口が、異なる６方向に形成されるような１つの装置を用いることもできる。
【００６０】
次に、図４ないし図８を参照して、本発明の一実施形態に係る測定情報処理システム１の各装置のハードウエア構成について説明する。
【００６１】
図４は、サーバ４１のハードウエア構成を示す図である。サーバ４１は、ＣＰＵ（Central  Processing  Unit）１０１、メモリ１０２、ネットワークインタフェース１０３、ディスプレイコントローラ１０４、ディスプレイ１０５、入力機器インタフェース１０６、キーボード１０７、マウス１０８、外部記憶装置１０９、外部記録媒体駆動装置１１０、およびこれらの構成要素を互いに接続するバス１１１を含んでいる。
【００６２】
ＣＰＵ１０１は、サーバ４１の各構成要素の動作を制御し、ＯＳの制御下で、本発明に係る各機能、すなわち、建物の各部屋の各部位について測定した結果得られた測定データ等を受信する機能、これらの測定データに基づいて分析を行う機能、所定の形式での表示データ等を提供する機能、測定データ等の保存・蓄積を行う機能等を実行する。
【００６３】
メモリ１０２は、不揮発性メモリであって、マスクＲＯＭやフラッシュメモリを含むＲＯＭ（Read  Only  Memory）、および揮発性メモリであるＲＡＭ（Random  Access  Memory）から構成される。マスクＲＯＭには、サーバ４１の起動時に実行されるプログラム等が格納される。フラッシュメモリやＲＡＭには、ＣＰＵ１０１で実行されるプログラムや、それらのプログラムが実行中に使用する測定データ（室温・湿度測定データ２４や表面温度測定データ２５）等が一時的に格納される。
【００６４】
ネットワークインタフェース１０３は、ネットワーク１２０に接続し、ネットワーク１２０を介したデータ送受信を制御する。ネットワーク１２０は、例えば、図１に示したネットワーク４２に対応する。
【００６５】
ディスプレイコントローラ１０４は、ＣＰＵ１０１が発行する描画命令を実際に処理するための専用コントローラである。ディスプレイコントローラ１０４で処理された描画データは、例えば、一旦グラフィックメモリに書き込まれ、その後、ディスプレイ１０５に出力される。ディスプレイ１０５は、例えば、ＬＣＤ（Liquid  Crystal  Display）等で構成される表示装置である。
【００６６】
入力機器インタフェース１０６は、キーボード１０７やマウス１０８から入力された信号を受信して、その信号パターンに応じて所定の指令をＣＰＵ１０１に送信する。
【００６７】
外部記憶装置１０９は、例えば、ハードディスクドライブ（ＨＤＤ）のような記憶装置であり、この装置内には上述したプログラムや測定データが記録され、実行時に、必要に応じてそこからメモリ１０２のフラッシュメモリやＲＡＭにロードされる。
【００６８】
外部記録媒体駆動装置１１０は、ＣＤ（Compact  Disc）、ＭＯ（Magneto-Optical  Disc）、ＤＶＤ（Digital  Versatile  Disc）、ブルーレイ（登録商標）ディスク（Blu-ray（登録商標）  Disc）などの可搬型の外部記録媒体１３０の記録面にアクセスして、そこに記録されているデータを読み取る装置である。外部記録媒体１３０には、本発明に係る各機能を実現するためのプログラムも記録することが可能である。外部記録媒体１３０に記録されているデータは、外部記録媒体駆動装置１１０を介して外部記憶装置１０９に格納され、プログラムであれば、実行時にメモリ１０２のＲＡＭにロードされる。
【００６９】
本発明に係る各機能を実現するためのプログラムは、上述のネットワークインタフェース１０３を介して他のコンピュータから提供されてもよいし、外部記録媒体１３０に記録され、外部記録媒体駆動装置１１０を介して取得されるようにしてもよい。
【００７０】
なお、サーバ４１に関する操作やサーバ４１を利用した機能については、このサーバ４１にリモート接続される別のコンピュータによって行われることが一般的であり、その場合、上述の、ディスプレイコントローラ１０４、ディスプレイ１０５、入力機器インタフェース１０６、キーボード１０７、マウス１０８等は特段必要のない構成要素となる。
【００７１】
次に、図５を参照して、データ送信装置２０のハードウエア構成について説明する。データ送信装置２０は、ＣＰＵ２０１、メモリ２０２、ネットワークインタフェース２０３、無線通信制御部２０４、アンテナ２０５、計時部２０６、およびこれらの構成要素を互いに接続するバス２０７を含んでいる。
【００７２】
ＣＰＵ２０１は、データ送信装置２０の各構成要素の動作を制御し、本発明に係る機能、すなわち、建物の各部屋の各部位について測定した結果得られた測定データ等をデータ収集装置２１から受信しサーバ４１に送信する機能、データ収集装置２１に対して、応答メッセージを送信する機能等を実行する。
【００７３】
メモリ２０２は、不揮発性メモリであって、マスクＲＯＭやフラッシュメモリを含むＲＯＭ、および揮発性メモリであるＲＡＭから構成される。マスクＲＯＭには、データ送信装置２０の起動時に実行されるプログラム等が格納される。フラッシュメモリやＲＡＭには、ＣＰＵ２０１で実行されるプログラムや、測定データ（室温・湿度測定データ２４や表面温度測定データ２５）等が格納される。
【００７４】
ネットワークインタフェース２０３は、ネットワーク２１０に接続し、ネットワーク２１０を介したデータ送受信を制御する。ネットワーク２１０は、例えば、図１に示したネットワーク４２に対応する。
【００７５】
無線通信制御部２０４は、データ収集装置２１との間の無線通信を制御する。例えば、無線通信制御部２０４は、接続されたアンテナ２０５を介して、符号化されたデータをデータ収集装置２１に送信するとともに、データ収集装置２１から受信したデータを復号化して測定データ等を取得する。
【００７６】
計時部２０６は、計時を行うためのユニットである。現在時刻を取得したり、所定の時刻からの経過時間を計時したりすることができる。例えば、計時部２０６は、一定間隔でＮＴＰ（Network  Time  Protocol）を用いてインターネット上のＮＴＰサーバにアクセスして正確な時刻を取得し、この時刻に基づいて、自身の時計を補正する。また、計時部２０６は、標準電波を受信して正確な時刻を維持する電波時計を備えるように構成されてもよい。
【００７７】
次に、図６を参照して、データ収集装置２１のハードウエア構成について説明する。データ収集装置２１は、ＣＰＵ３０１、メモリ３０２、ネットワークインタフェース３０３、無線通信制御部３０４、アンテナ３０５、温度センサ３０６、湿度センサ３０７、計時部３０８、およびこれらの構成要素を互いに接続するバス３０９を含んでいる。
【００７８】
ＣＰＵ３０１は、データ収集装置２１の各構成要素の動作を制御し、本発明に係る機能、すなわち、建物の各部屋の各部位について測定した結果得られた測定データ等を測定装置２２から受信し、データ送信装置２０に送信する機能、測定装置２２に対して、起動指示を行う機能等を実行する。
【００７９】
メモリ３０２は、不揮発性メモリであって、マスクＲＯＭやフラッシュメモリを含むＲＯＭ、および揮発性メモリであるＲＡＭから構成される。マスクＲＯＭには、データ収集装置２１の起動時に実行されるプログラム等が格納される。フラッシュメモリやＲＡＭには、ＣＰＵ３０１で実行されるプログラムや、測定データ（室温・湿度測定データ２４や表面温度測定データ２５）等が格納される。
【００８０】
ネットワークインタフェース３０３はハブ３１０に接続し、ハブ３１０を介して接続されるそれぞれの測定装置２２との間のデータ送受信を制御する。ハブ３１０は、図１、図２、および図３では省略されている。
【００８１】
無線通信制御部３０４は、データ送信装置２０との間の無線通信を制御する。例えば、無線通信制御部３０４は、接続されたアンテナ３０５を介して、符号化された測定データ等をデータ送信装置２０に送信するとともに、データ送信装置２０から受信したデータを復号化して、時刻情報を含む応答メッセージ等のデータ等を取得する。
【００８２】
温度センサ３０６は、例えば、測定結果をログデータとして取得可能な測温抵抗体やサーミスタにより構成されるセンサであり、湿度センサ３０７は、例えば、測定結果をログデータとして取得可能な電気抵抗式湿度センサや静電容量式湿度センサである。
【００８３】
計時部３０８は、計時を行うためのユニットである。計時部３０８が管理する時刻は、データ送信装置２０から受信した時刻情報に基づいて調整され、測定対象の各部位を測定するタイミングを決定するために、当該調整された時刻からの経過時間を計時することができる。
【００８４】
また、データ収集装置２１の電源は、例えば、乾電池により提供される。データ収集装置２１が起動する場合は（図２の「（１）定刻に起動」参照）、電源をＯＮにするよう制御してもよいし、待機モードの状態を実行モードに移行させるように制御してもよい。また、起動の終了は、電源ＯＮの場合であれば、電源ＯＦＦに、実行モードに移行させた場合であれば、待機モード（省電力モード）に移行させるよう制御される。
【００８５】
次に、図７を参照して、測定装置２２のハードウエア構成について説明する。測定装置２２は、ＣＰＵ４０１、メモリ４０２、ネットワークインタフェース４０３、表面温度センサ（赤外線センサ）４０４、およびこれらの構成要素を互いに接続するバス４０５を含んでいる。
【００８６】
ＣＰＵ４０１は、測定装置２２の各構成要素の動作を制御し、本発明に係る機能、すなわち、データ収集装置２１からの起動指示に応じて、建物の各部屋の各部位について測定した結果得られた測定データ等をデータ収集装置２１に送信する機能等を実行する。
【００８７】
メモリ４０２は、不揮発性メモリであって、マスクＲＯＭやフラッシュメモリを含むＲＯＭ、および揮発性メモリであるＲＡＭから構成される。マスクＲＯＭには、測定装置２２の起動時に実行されるプログラム等が格納される。フラッシュメモリやＲＡＭには、ＣＰＵ４０１で実行されるプログラム等が格納される。
【００８８】
ネットワークインタフェース４０３は、図６に示すハブ３１０に接続し、ハブ３１０を介して接続されるデータ収集装置２１との間のデータ送受信を制御する。
【００８９】
表面温度センサ４０４は、例えば、測定結果をログデータとして取得可能な放射温度計であり、測定対象の表面から放出される赤外線放射エネルギーを赤外線センサによって測定し、測定対象の表面温度を測定する。
【００９０】
また、測定装置２２の電源は、例えば、接続されるハブ３１０から提供される。測定装置２２が起動される場合は（図２の「（３）起動指示」参照）、電源をＯＮにするよう制御してもよいし、待機モードの状態を実行モードに移行させるように制御してもよい。また、起動の終了は、電源ＯＮの場合であれば、電源ＯＦＦに、実行モードに移行させた場合であれば、待機モード（省電力モード）に移行させるよう制御される。
【００９１】
図８は、閲覧装置２３のハードウエア構成を示す図である。閲覧装置２３は、ＣＰＵ５０１、メモリ５０２、音声出力装置５０３、音声入力装置５０４、ネットワークインタフェース５０５、ディスプレイコントローラ５０６、ディスプレイ５０７、データインタフェース５０８、入力機器インタフェース５０９、キーボード５１０、マウス５１１、外部記憶装置５１２、外部記録媒体駆動装置５１３、およびこれらの構成要素を互いに接続するバス５１４を含んでいる。
【００９２】
ＣＰＵ５０１は、閲覧装置２３の各構成要素の動作を制御し、ＯＳの制御下で、本発明に係る各機能、すなわち、建物の各部屋の各部位について測定した結果得られた測定データや、当該測定データに基づいて分析した結果を表示する機能等を実行する。
【００９３】
メモリ５０２は、不揮発性メモリであって、マスクＲＯＭやフラッシュメモリを含むＲＯＭ、および揮発性メモリであるＲＡＭから構成される。マスクＲＯＭには、閲覧装置２３の起動時に実行されるプログラム等が格納される。フラッシュメモリやＲＡＭには、ＣＰＵ５０１で実行されるプログラムや、それらのプログラムが実行中に使用する測定データ（室温・湿度測定データ２４や表面温度測定データ２５）等が一時的に格納される。
【００９４】
音声出力装置５０３は、例えば、スピーカ等の機器であり、ＯＳの下で動作するアプリケーションから音声データを受け取り、音声を出力する。音声入力装置５０４は、例えば、マイクロフォン等の機器であり、音声を入力する。
【００９５】
ネットワークインタフェース５０５は、ネットワーク５２０に接続し、ネットワーク５２０を介したデータ送受信を制御する。ネットワーク５２０は、例えば、図１に示したネットワーク４２に対応する。
【００９６】
ディスプレイコントローラ５０６は、ＣＰＵ５０１が発行する描画命令を実際に処理するための専用コントローラである。ディスプレイコントローラ５０６で処理された描画データは、例えば、一旦グラフィックメモリに書き込まれ、その後、ディスプレイ５０７に出力される。ディスプレイ５０７は、例えば、ＬＣＤ等で構成される表示装置である。
【００９７】
データインタフェース５０８は、例えば、ＵＳＢ端子を備えたデータインタフェースで、例えば、ＵＳＢケーブルで接続された機器のメモリやハードディスクに記憶されたデータを、外部記憶装置５１２やメモリ５０２に転送する。また、サーバ４１から取得した計測データ等を外部のＵＳＢメモリ等に転送して、他のコンピュータ等で利用することができる。
【００９８】
入力機器インタフェース５０９は、キーボード５１０やマウス５１１から入力された信号を受信して、その信号パターンに応じて所定の指令をＣＰＵ５０１に送信する。
【００９９】
外部記憶装置５１２は、例えば、ハードディスクドライブ（ＨＤＤ）のような記憶装置であり、この装置内には上述したプログラムや測定データが記録され、実行時に、必要に応じてそこからメモリ５０２のフラッシュメモリやＲＡＭにロードされる。
【０１００】
外部記録媒体駆動装置５１３は、ＣＤやＤＶＤなどの可搬型の外部記録媒体５３０の記録面にアクセスして、そこに記録されているデータを読み取る装置である。外部記録媒体５３０には、本発明に係る各機能を実現するためのプログラムも記録することが可能である。外部記録媒体５３０に記録されているデータは、外部記録媒体駆動装置５１３を介して外部記憶装置５１２に格納され、プログラムであれば、実行時にメモリ５０２のＲＡＭにロードされる。
【０１０１】
本発明に係る各機能を実現するためのプログラムは、上述のネットワークインタフェース５０５やデータインタフェース５０８を介して他のコンピュータから提供されてもよいし、外部記録媒体５３０に記録され、外部記録媒体駆動装置５１３を介して取得されるようにしてもよい。
【０１０２】
次に、図９ないし図１３を参照して、本発明の一実施形態に係る測定情報処理システム１の各装置が実行する機能について説明する。
【０１０３】
図９は、サーバ４１のＣＰＵ１０１によって実行される機能を表す機能ブロック図である。サーバ４１は、測定データ受信部１５１、測定データ分析部１５２、閲覧制御部１５３、センサ管理部１５４、表示部１５５、入力部１５６、およびネットワークＩ／Ｆ部１５７を含む。また、サーバ４１は、記憶装置１６０（図４の外部記憶装置１０９に対応）に、室温・湿度測定データ１６１、表面温度測定データ１６２、部屋情報１６３、分析データ１６４、および管理用データ１６５を記憶する。
【０１０４】
測定データ受信部１５１は、データ送信装置２０から所定のタイミングで送信されてくる測定データ等を受信し、記憶装置１６０に、それぞれ時系列の、室温・湿度測定データ１６１、表面温度測定データ１６２として記憶する。測定データ分析部１５２は、受信した測定データ等に基づいて所定の編集・分析を行い、分析データ１６４を記憶装置１６０に記憶する。
【０１０５】
閲覧制御部１５３は、閲覧装置２３のようなパーソナルコンピュータから閲覧要求があった場合に、必要に応じて、室温・湿度測定データ１６１、表面温度測定データ１６２、および分析データ１６４を含む閲覧用データ２６（例えば、ＨＴＭＬデータ）を当該パーソナルコンピュータに送信するよう制御する。
【０１０６】
センサ管理部１５４は、管理者等の入力によって、データ収集装置２１からの測定データがどの建物のどの部屋の温度・湿度に対応するか、および測定装置２２からの測定データがどの部位（例えば、壁、天井、床、窓）の表面温度に対応するかを管理する。
【０１０７】
表示部１５５は、図４のディスプレイコントローラ１０４を制御して、ディスプレイ１０５に、必要な画面等を表示する。例えば、管理者によって操作されるセンサ管理画面、ユーザによって操作されるマーカ追加画面やメール通知設定画面等を表示するよう制御する。なお、センサ管理画面、マーカ追加画面、メール通知設定画面については、後で詳細に説明する。入力部１５６は、図４の入力機器インタフェース１０６を制御して、管理者等のキーボード１０７やマウス１０８の操作を検知し、操作内容をＣＰＵ１０１に送信する。これによって、例えば、管理者やユーザが、センサ管理画面、マーカ追加画面、メール通知設定画面等において入力した内容が、各画面の入力エリアに反映される。なお、上記センサ管理画面やマーカ追加画面等の表示や、これらの画面に対する操作は、上述のように、通常は、サーバ４１にリモート接続される別のコンピュータによって行われる。
【０１０８】
ネットワークＩ／Ｆ部１５７は、図４のネットワークインタフェース１０３を制御して、データ送信装置２０からの測定データ等の受信を実現し、閲覧装置２３等に対する閲覧用データ２６の送信を実現する。
【０１０９】
室温・湿度測定データ１６１には、例えば、１０分ごとに各部屋で測定された温度と湿度の測定データが時系列に記憶される。これらの測定データは、データ収集装置２１によって測定され、サーバ４１に送信されたものである。表面温度測定データ１６２には、例えば、１０分ごとに各部屋の各測定部位について測定された表面温度の測定データが時系列に記憶される。これらの測定データは、測定装置２２によって測定され、データ収集装置２１で収集され、上述の温度と湿度の測定データとともにまとめてサーバ４１に送信されたものである。
【０１１０】
部屋情報１６３は、測定データの表示や分析を行うために必要なデータであり、建物の間取り図データや各部屋の情報（壁、天井、床、窓のそれぞれの位置や大きさ、断熱性能等）が含まれる。これらの情報は、管理者等によって入力されたり、データとして取得されたりする。
【０１１１】
分析データ１６４は、測定データの表示を行うためのデータや分析結果を表すためのデータなどを含む。管理用データ１６５には、データ収集装置２１からの測定データがどの建物のどの部屋の温度・湿度に対応するか、および測定装置２２からの測定データがどの部位（例えば、壁、天井、床、窓）の表面温度に対応するかを管理するためのデータが含まれる。
【０１１２】
より具体的には、センサ（データ収集装置２１）の識別子（例えば、装置のシリアルＮＯ）と測定データが対応付けられて記憶され、部屋の識別子（例えば、管理者が付けた名前）とセンサ（データ収集装置２１）の識別子が対応付けられて記憶される。また、センサ（測定装置２２）の識別子（例えば、装置のシリアルＮＯ）と測定データが対応付けられて記憶され、部屋の部位を表す識別子（例えば、管理者が付けた名前）とセンサ（測定装置２２）の識別子が対応付けられて記憶される。
【０１１３】
なお、サーバ４１は、収集したデータを蓄積し管理するデータ管理部をさらに有するように構成できるが、ここでは図示を省略した。データ管理部は、例えば、それぞれのデータ送信装置２０から受信した測定データ等をデータベースに蓄積し、これらのデータを効率的に格納するとともに、閲覧装置２３からの閲覧操作等が行われた場合に、様々な条件でのデータ抽出を高速に行えるように制御する。
【０１１４】
図１０は、データ送信装置２０のＣＰＵ２０１によって実行される機能を表す機能ブロック図である。データ送信装置２０は、測定データ受信部２５１、測定データ送信部２５２、時刻通知制御部２５３、およびネットワークＩ／Ｆ部２５４を含む。また、データ送信装置２０は、メモリ２６０（図５のメモリ２０２に対応）に、室温・湿度測定データ２６１、および表面温度測定データ２６２を一時的に記憶・蓄積する。
【０１１５】
測定データ受信部２５１は、図５の無線通信制御部２０４とアンテナ２０５を介して、データ収集装置２１から所定のタイミングで送信されてくる測定データ等を受信し、メモリ２６０に、それぞれ時系列の、室温・湿度測定データ２６１、表面温度測定データ２６２として記憶・蓄積する。測定データ送信部２５２は、所定のタイミングで、メモリ２６０に、室温・湿度測定データ２６１、表面温度測定データ２６２として記憶・蓄積されている測定データを、所定のタイミングでサーバ４１に送信する。測定データ送信部２５２による送信タイミングは、データ収集装置２１から測定データを受信するたびに、即時に送信することもできるし、データ収集装置２１からの測定データをいくつか受信した後で送信するようにしてもよい。
【０１１６】
時刻通知制御部２５３は、データ送信装置２０がデータ収集装置２１から測定データを受信した直後に、それぞれのデータ収集装置２１に対して時刻情報を含んだ応答メッセージを送信し、データ収集装置２１が、この受信した時刻情報に基づいて、自身の計時部を正確な時刻に調整することができる。データ収集装置２１に送信する時刻情報は、現在時刻等の絶対的な時間でもよいし、所定の時刻を基準とした相対時刻でもよい。この時刻情報は、すべてのデータ収集装置２１において、温度等を測定するタイミングを一致させることを目的とするものであるが、この目的が達成できる限り、時刻情報をすべてのデータ収集装置２１に対して同時に行う必要はない。また、時刻通知制御部２５３は、計時部２０６の時刻に基づいて時刻情報を含む応答メッセージを送信するが、計時部２０６は、上述のように、正確な時刻に調整された時計を有する。
【０１１７】
ネットワークＩ／Ｆ部２５４は、図５のネットワークインタフェース２０３を制御して、サーバ４１に対する測定データの送信、データ収集装置２１に対する応答メッセージの送信を実現する。
【０１１８】
図１１は、データ収集装置２１のＣＰＵ３０１によって実行される機能を表す機能ブロック図である。データ収集装置２１は、起動制御部３５１、測定データ受信部３５２、室温・湿度測定部３５３、測定データ送信部３５４、時刻調整部３５５、およびネットワークＩ／Ｆ部３５６を含む。また、データ収集装置２１は、メモリ３６０（図６のメモリ３０２に対応）に、室温・湿度測定データ３６１、および表面温度測定データ３６２を一時的に記憶することができる。
【０１１９】
起動制御部３５１は、所定のタイミングで（例えば、１０分間隔で）、ハブを介して接続されている測定装置２２のそれぞれに、起動指示を送信する（例えば、一斉送信する）よう制御する。
【０１２０】
測定データ受信部３５２は、測定装置２２から送信されてくる測定データを受信し、メモリ３６０に、表面温度測定データ３６２として一時的に記憶する。
【０１２１】
室温・湿度測定部３５３は、起動制御部３５１による起動指示に応じて、測定装置２２が対応する部位の表面温度を測定するタイミングに合わせて、データ収集装置２１が配置されている部屋の室温と湿度を測定するように制御する。測定データは、メモリ３６０に、室温・湿度測定データ３６１として一時的に記憶する。
【０１２２】
測定データ送信部３５４は、測定装置２２のそれぞれから測定データを受信し、かつ、室温・湿度測定部３５３によって室温と湿度の測定が行われた時点で、メモリ３６０に記憶されている測定データを、データ送信装置２０に送信する。データ収集装置２１は、この測定データのデータ送信を終了し、さらに、データ送信装置２０から応答メッセージ（時刻情報を含む）を受信した後、次の起動タイミングまで電源ＯＦＦ、または待機モード（省電力モード）となる。また、データ送信装置２０との通信が失敗する場合もあるため、所定時間経過しても応答メッセージが受信できない場合、電源ＯＦＦ、または待機モード（省電力モード）となる。
【０１２３】
時刻調整部３５５、データ送信装置２０から時刻情報を含んだ応答メッセージを受信すると、この応答メッセージを確認し、計時部３０８で管理する時刻と、受信した時刻情報の時刻を比較し、差があれば、計時部３０８の時刻を受信した時刻情報の時刻に合わせるよう調整する。上述のように、データ送信装置２０は、時刻情報を含む応答メッセージを、データ収集装置２１が所定のタイミングで起動されて、確実に実行されているときに送信する。
【０１２４】
ネットワークＩ／Ｆ部３５６は、図６のネットワークインタフェース３０３を制御して、測定装置２２からの測定データの受信と測定装置２２に対する起動指示の送信を実現し、無線通信制御部３０４を制御して、データ送信装置２０に対する測定データの送信、データ送信装置２０からの応答メッセージの受信等を実現する。
【０１２５】
図１２は、測定装置２２のＣＰＵ４０１によって実行される機能を表す機能ブロック図である。測定装置２２は、起動制御部４５１、表面温度測定部４５２、測定データ送信部４５３、およびネットワークＩ／Ｆ部４５４を含む。
【０１２６】
起動制御部４５１は、データ収集装置２１から起動指示を受信した場合に、実行モードから待機状態（省電力モード）に移行し、図７に示す表面温度センサ４０４を使用可能とする。
【０１２７】
表面温度測定部４５２は、起動制御部４５１が起動指示を受信したことに応じて、測定対象として位置づけられている部屋の部位に対して赤外線照射を行い、その部位の表面温度を測定する。このとき、必要に応じて、測定結果として得られた測定データをメモリ４０２に一時的に記憶してもよい。
【０１２８】
測定データ送信部４５３は、表面温度測定部４５２によって測定された測定データを、データ収集装置２１に送信する。この処理が終了すると、測定装置２２は、実行モードから待機状態（省電力モード）に移行する。
【０１２９】
ネットワークＩ／Ｆ部４５４は、図７のネットワークインタフェース４０３を制御して、データ収集装置２１に対する測定データの送信を実現する。
【０１３０】
図１３は、閲覧装置２３のＣＰＵ５０１によって実行される機能を表す機能ブロック図である。閲覧装置２３は、閲覧用データ受信部５５１、閲覧制御部５５２、表示部５５３、入力部５５４、およびネットワークＩ／Ｆ部５５５を含む。また、閲覧装置２３は、記憶装置５６０（図８の外部記憶装置５１２に対応）に、受信した閲覧用データ５６１を記憶する。
【０１３１】
閲覧装置２３のユーザ等の操作に応じて、測定データ等の閲覧要求が行われた場合に、サーバ４１から、閲覧要求に対応する閲覧用データ２６が送信され、閲覧用データ受信部５５１は、こうして送信されてきた閲覧用データ２６を受信し、記憶装置５６０に閲覧用データ５６１として記憶される。
【０１３２】
閲覧制御部５５２は、閲覧用データ５６１または閲覧用データ２６を解釈・編集して、測定データや測定データに基づく分析結果等をディスプレイ５０７に表示するよう制御する。閲覧制御部５５２は、例えば、ＷＥＢブラウザ等によって実現可能である。
【０１３３】
表示部５５３は、図８のディスプレイコントローラ５０６を制御して、ディスプレイ５０７に、必要な画面等を表示する。例えば、建物のユーザや分析者によって閲覧・操作される温湿度表示画面や放射温度表示画面等を表示するよう制御する。なお、温湿度表示画面や放射温度表示画面については、後で詳細に説明する。入力部５５４は、図８の入力機器インタフェース５０９を制御して、ユーザ等のキーボード５１０やマウス５１１の操作を検知し、操作内容をＣＰＵ５０１に送信する。これによって、例えば、ユーザ等が、温湿度表示画面に対して操作した内容が、当該画面の表示態様に反映される。
【０１３４】
ネットワークＩ／Ｆ部５５５は、図８のネットワークインタフェース５０５を制御して、サーバ４１からの閲覧用データ２６等の受信を実現する。
【０１３５】
次に、図１４を参照して、サーバ４１のセンサ管理部１５４によって制御されるセンサ管理画面６００について説明する。
【０１３６】
図１４に示すセンサ管理画面６００は、１つの建物について配置されている、データ収集装置２１、および測定装置２２を登録する画面であり、通常、サーバ４１にリモート接続されたコンピュータのディスプレイに表示され、システムの管理者は、このリモート接続されたコンピュータで操作を行うことで、サーバ４１や測定情報処理システム１に対する設定等が実現される。また、図４に示すように、サーバ４１に直接接続されたディスプレイ１０５やキーボード１０７によって上述の設定操作等を行うこともできる。この例では、データ収集装置２１は、上述の通り、複数の測定装置２２の測定データを収集し、データ送信装置２０に送信する機能を有するが、それ自身、温度センサと湿度センサを備え、配置された部屋全体の温度と湿度を測定する（センサタイプ＝「１：温湿度」）。また、測定装置２２は、それぞれ対応する部位の表面温度（放射温度）を測定する（センサタイプ＝「２：放射温度」）。
【０１３７】
図１４に示すセンサ管理画面６００は、ネットワークＩＤ登録部６１０、センサ追加部６２０、およびセンサ一覧表示部６３０を含む。ネットワークＩＤ登録部６１０では、ネットワークＩＤと、これに対応する建物の名前が入力される。センサ追加部６２０では、センサのシリアルＮＯと、このセンサのタイプが入力される。センサ一覧表示部６３０では、センサ追加部６２０で登録されたセンサの一覧が表示される。
【０１３８】
この例では、データ収集装置２１のセンサのシリアルＮＯと測定装置２２のセンサのシリアルＮＯとがハイフン「−」で接続されることにより、データ収集装置２１と測定装置２２の関係性（従属関係）が表わされている。
【０１３９】
例えば、図１４に示すセンサ管理画面６００のセンサ一覧表示部６３０において、センサＩＤ＝「１」のセンサのセンサタイプは「１：温湿度」であり、これが部屋の気温と湿度を測定し、複数の測定装置２２からの測定データを収集するデータ収集装置２１に対応することが分かる。このデータ収集装置２１のシリアルＮＯは「０００１」である。
【０１４０】
センサＩＤ＝「２」のセンサのセンサタイプは「２：放射温度」であり、これが部屋の部位の表面温度を測定する測定装置２２の１つに対応することが分かる。また、シリアルＮＯが「０００１−０」であるため、この測定装置２２が、シリアルＮＯ＝「０００１」のデータ収集装置２１（その部屋にあるデータ収集装置２１）に接続され、測定データが、そのデータ収集装置２１によって集約され、サーバ４１に送信されることが分かる。
【０１４１】
センサＩＤ＝「３」のセンサのセンサタイプは「２：放射温度」であり、これが部屋の部位の表面温度を測定する測定装置２２の１つに対応することが分かる。また、シリアルＮＯが「０００１−１」であるため、この測定装置２２が、シリアルＮＯ＝「０００１」のデータ収集装置２１（その部屋にあるデータ収集装置２１）に接続され、測定データが、そのデータ収集装置２１によって集約され、サーバ４１に送信されることが分かる。
【０１４２】
以降、同様に、シリアルＮＯ＝「０００１−２」ないし「０００１−７」の測定装置２２が、シリアルＮＯ＝「０００１」のデータ収集装置２１（その部屋にあるデータ収集装置２１）に接続され、測定データが、そのデータ収集装置２１によって収集され、サーバ４１に送信されることが分かる。
【０１４３】
なお、この例では、データ収集装置２１のシリアルＮＯと測定装置２２のシリアルＮＯとがハイフン「−」で接続されることにより、データ収集装置２１と測定装置２２の関係性（従属関係）が表わされているようにしているが、ハイフン「−」で接続されることが、単に、データ収集装置２１と測定装置２２が同じ部屋に配置されているということを表すものであるとしてもよく、この場合、測定装置２２の測定データが、必ずしも同じ部屋に配置されたデータ収集装置２１によって収集され、サーバ４１に送信される必要はない。
【０１４４】
また、データ収集装置２１と測定装置２２の関係を、他の様々な形式のセンサ管理画面で登録することができる。例えば、親機器の入力欄に、データ収集装置２１のシリアルＮＯを入力し、その親機器に対応する子機の入力欄に、そのデータ収集装置２１に対応する複数の測定装置２２のシリアルＮＯを入力するようにでき、これによって、データ収集装置２１と、データ収集装置２１が配置される部屋と同じ部屋の部位について表面温度を測定する複数の測定装置２２とが対応付けられる。
【０１４５】
次に、図１５を参照して、サーバ４１のセンサ管理部１５４によって制御されるマーカ追加画面６５０について説明する。
【０１４６】
図１５に示すマーカ追加画面６５０は、１つの建物の各部屋に配置されているデータ収集装置２１が、それぞれどの部屋に配置されているかの対応付けを設定する画面であり、通常、サーバ４１にリモート接続されたコンピュータ（例えば、閲覧装置２３）のディスプレイに表示される。また、主として、建物の利用者・運営者や居住者であるユーザが、このリモート接続されたコンピュータを用いて、マーカ追加画面６５０によりマーカ追加操作を行う。以下同様に、通常、図１６ないし図２１に示す各画面も、サーバ４１にリモート接続されたコンピュータ（例えば、閲覧装置２３）のディスプレイに表示され、主として、上述のユーザがこれらの画面に対し、必要に応じた操作を行う。
【０１４７】
図１５に示すマーカ追加画面６５０は、ネットワークＩＤ表示部６５１、間取り画像表示部６５２、およびマーカ追加操作部６５４を含む。ネットワークＩＤ表示部６５１では、図１４に示すセンサ管理画面６００で登録した内容を呼び出すために指定したネットワークＩＤと、これに対応付けられた建物の名前が表示されている。間取り画像表示部６５２では、ネットワークＩＤに対応付けられた建物の間取り画像が表示されている。この例では、１階（１Ｆ）の間取り画像を表示するよう指示が行われている。
【０１４８】
また、マーカ追加操作部６５４は、ユーザが、マッピングボタン６５３をマウス等でクリックすることによりポップアップ表示される。マーカ追加操作部６５４には、２つのタブがあり、ここでは、「温湿度」のタブが選択され、その下に、図１４に示すセンサ管理画面６００で登録した、データ収集装置２１のシリアルＮＯが一覧表示されている。
【０１４９】
ここで、ユーザは、データ収集装置２１が、それぞれどの部屋に配置されているかを対応付けるために、マーカ追加操作部６５４において、データ収集装置２１のシリアルＮＯをマウスで選択し、ドラッグした矢印アイコンを間取り画像の上まで移動し、対応する部屋の上でドロップする（矢印６５５）。このような操作を繰り返すことにより、それぞれのデータ収集装置２１が、どの部屋に配置され、その部屋の温度と湿度の測定を行ったかの対応付けが行われる。図１５の例では、シリアルＮＯ＝「０００１」のデータ収集装置２１の測定データは、間取り画像の「リビング」に対応付けられる。なお、部屋を識別するための文字列「リビング」は、ユーザによって入力されたものである。
【０１５０】
このように、ユーザは、データ収集装置２１を配置する場合に、部屋ごとに、データ収集装置２１のシリアルＮＯを把握しておく必要があり、この情報を、図１５のようなマーカ追加画面６５０によって登録する。
【０１５１】
図１６は、図１５に示したマーカ追加画面６５０とは別のマーカ追加画面６５０’を例示したものである。この画面も、サーバ４１のセンサ管理部１５４によって制御される。
【０１５２】
図１６に示すマーカ追加画面６５０’も、図１５のマーカ追加画面６５０と同様、１つの建物の各部屋に配置されているデータ収集装置２１が、それぞれどの部屋に配置されているかの対応付けを設定する画面であり、通常、サーバ４１のディスプレイ１０５に表示され、ユーザによって操作が行われる。
【０１５３】
図１６に示すマーカ追加画面６５０’は、ネットワークＩＤ表示部６５１’、間取り画像表示部６５２’、およびマーカ追加操作部６５４’を含む。
【０１５４】
マーカ追加操作部６５４’は、ユーザが、マッピングボタン６５３’をマウス等でクリックすることによりポップアップ表示される。マーカ追加操作部６５４’には、２つのタブがあり、ここでは、「温湿度」のタブが選択され、その下に、図１４に示すセンサ管理画面６００で登録した、データ収集装置２１のシリアルＮＯがラジオボタンと対になって一覧表示されている。
【０１５５】
ここで、ユーザは、データ収集装置２１が、それぞれどの部屋に配置されているかを対応付けるために、間取り画像表示部６５２’において、対応する部屋をマウス等で選択し（矢印６５６）、その後、マーカ追加操作部６５４’において、データ収集装置２１のシリアルＮＯに対応するラジオボタンをマウス等でチェックし、マーカ追加操作部６５４’の下部に表示されている追加ボタンをマウス等でクリックする（矢印６５７）。このような操作を繰り返すことにより、それぞれのデータ収集装置２１が、どの部屋に配置され、その部屋の温度と湿度の測定を行ったかの対応付けが行われる。図１６の例では、シリアルＮＯ＝「０００１」のデータ収集装置２１の測定データは、間取り画像の「リビング」に対応付けられる。なお、部屋を識別するための文字列「リビング」は、マーカ追加操作部６５４’の下部に配置されている名前入力エリアにユーザが入力することによって登録される。
【０１５６】
また、図１５のマーカ追加画面６５０、および図１６のマーカ追加画面６５０’において、間取り図のどの位置に、対応するデータ収集装置２１の測定データ（その部屋の温度と湿度）をマーカとして表示させるかについては、他の部屋の測定データのマーカの表示位置、近接度合、大きさ等に基づいて自動的に調整されるように構成できる。また、ユーザがマニュアルで、マーカの表示位置、大きさ、引き出し線等を調整できるように構成してもよい。
【０１５７】
このような、データ収集装置２１のシリアルＮＯ、測定データ、表示態様（表示位置や表示の大きさ等）、および部屋の名前等の対応付けは、サーバ４１の管理用データ１６５に記憶される。
【０１５８】
次に、図１７を参照して、サーバ４１の閲覧制御部１５３と閲覧装置２３の閲覧制御部５５２によって制御される温湿度表示画面６６０について説明する。
【０１５９】
図１７に示す温湿度表示画面６６０は、１つの建物の各部屋に配置されているデータ収集装置２１が、それぞれどの部屋に配置されているかの対応付けに基づいて、データ収集装置２１によって測定された測定データを、対応する部屋にオーバーラップして表示する画面であり、通常、閲覧装置２３のディスプレイ５０７に表示され、建物のユーザ等によって操作・閲覧が行われる。
【０１６０】
図１７に示す温湿度表示画面６６０は、ネットワークＩＤ表示部６６１、および間取り画像表示部６６２を含む。ネットワークＩＤ表示部６６１では、閲覧したい建物を特定するために指定したネットワークＩＤと、これに対応付けられた建物の名前が表示されている。間取り画像表示部６６２では、ネットワークＩＤに対応付けられた建物の間取り画像が表示されている。この例では、１階（１Ｆ）の間取り画像を表示するよう指示が行われている。
【０１６１】
また、間取り画像表示部６６２では、所定のタイミングにおける各部屋の温度と湿度が表示されている。この例では、２０１５年３月１５日、０時３８分の時点における測定データが表示されているが、日時を指定することによって、または一覧から日時を選択することによって、他のタイミングにおける各部屋の温度と湿度を表示させることができる。また、各部屋の温度と湿度を、指定された期間にわたって、時系列にグラフ表示することもできる。
【０１６２】
また、温湿度表示画面６６０においても、間取り図のどの位置に、対応するデータ収集装置２１の測定データ（その部屋の温度と湿度）を表示させるかについて、他の部屋の測定データのマーカの表示位置、近接度合、大きさ等に基づいて自動的に調整されるように構成できる。また、ユーザがマニュアルで、マーカの表示位置、大きさ、引き出し線等を調整し、記憶できるように構成してもよい。
【０１６３】
次に、図１８を参照して、サーバ４１のセンサ管理部１５４によって制御されるマーカ追加画面６７０について説明する。
【０１６４】
図１８に示すマーカ追加画面６７０は、１つの建物の各部屋のそれぞれの部位について表面温度を測定するよう位置決めされている測定装置２２が、それぞれどの部屋のどの部位に対応付けられているかを設定する画面であり、通常、サーバ４１のディスプレイ１０５に表示され、ユーザによって操作が行われる。
【０１６５】
図１８に示すマーカ追加画面６７０は、ネットワークＩＤ表示部６７１、間取り画像表示部６７２、部屋表示部６７４、およびマーカ追加操作部６７６を含む。ネットワークＩＤ表示部６７１では、図１４に示すセンサ管理画面６００で登録した内容を呼び出すために指定したネットワークＩＤと、これに対応付けられた建物の名前が表示されている。間取り画像表示部６７２では、ネットワークＩＤに対応付けられた建物の間取り画像が表示されている。この例では、１階（１Ｆ）の間取り画像を表示するよう指示が行われている。
【０１６６】
ここで、ユーザが、間取り画像表示部６７２に表示された間取りにおいて１つの部屋をマウス等で選択すると（矢印６７３）、その部屋に対応する部屋を表す斜視図（３Ｄ画像）が、部屋表示部６７４に表示される。なお、部屋表示部６７４に表示された斜視図は、部屋表示部６７４の左上にあるアイコンをマウス等でクリックした後、斜視図をドラッグすることにより、任意の回転軸で回転させることができ、それぞれの部位を、視認しやすい姿勢に変更することができる。
【０１６７】
さらにここで、ユーザが、マッピングボタン６７５をマウス等でクリックすることにより、マーカ追加操作部６７６がポップアップ表示される。マーカ追加操作部６７６には、２つのタブがあり、ここでは、「放射温度」のタブが選択され、その下に、図１４に示すセンサ管理画面６００で登録した、測定装置２２のシリアルＮＯが一覧表示されている。ただし、ここで表示されているのは、現在選択されている部屋（リビング）に対応するデータ収集装置２１（シリアルＮＯ＝「０００１」）と同じ部屋の部位の表面温度を測定するように配置された測定装置２２のみである。
【０１６８】
図１４に示すセンサ管理画面６００の操作によって、シリアルＮＯ＝「０００１」のデータ収集装置２１とシリアルＮＯ＝「０００１−０」ないし「０００１−７」の測定装置２２が対応付けられ（同じ部屋を測定するものであるとの対応付けがされ）、かつ、図１５に示すマーカ追加画面６５０の操作によって、部屋（リビング）とシリアルＮＯ＝「０００１」のデータ収集装置２１が対応付けられたため、上述のように、部屋を特定することによって、この部屋に関連する測定装置２２のシリアルＮＯを一覧表示することができるのである。
【０１６９】
また、この例では、データ収集装置２１が部屋ごとに配置されており、具体的には、「リビング」の部屋にはデータ収集装置２１（シリアルＮＯ＝「０００１」）が配置され、その部屋で、データ収集装置２１に８個の測定装置２２が接続されているが、上述のように、１つの部屋に複数のデータ収集装置２１を配置したり、複数の部屋を１つのデータ収集装置２１で担当するようにしたりすることができ、その場合には、図１５に示すマーカ追加画面６５０の操作によって特定の部屋と対応付けられたデータ収集装置２１とは関係なく、測定装置２２のシリアルＮＯを所定の順序で一覧表示し、それぞれの測定装置２２を、選択した部屋の部位に割り当てるようにすることができる。
【０１７０】
ここで、ユーザは、測定装置２２が、それぞれどの部位の測定のために位置づけられているかを対応付けるために、マーカ追加操作部６７６において、測定装置２２のシリアルＮＯをマウスで選択し、ドラッグした矢印アイコンを部屋表示部６７４の上まで移動し、対応する部位の上でドロップする（矢印６７７）。このような操作を繰り返すことにより、それぞれの測定装置２２が、どの部位を測定対象とし、その部位の表面温度の測定を行ったかの対応付けが行われる。図１８の例では、シリアルＮＯ＝「０００１−０」の測定装置２２の測定データは、間取り画像の「リビング」の「壁西」（西側の壁）に対応付けられる。なお、部位を識別するための文字列「壁西」は、ユーザによって入力されたものである。
【０１７１】
このように、ユーザは、測定装置２２の位置決めを行う場合に、どの部屋のどの部位を測定対象としたかを、測定装置２２のシリアルＮＯとともに把握しておく必要があり、この情報を、図１８のようなマーカ追加画面６５０によって登録する。
【０１７２】
また、図１８のマーカ追加画面６７０において、部屋の３Ｄ表示のどの位置に、対応する測定装置２２の測定データ（その部位の表面温度）をマーカとして表示させるかについては、他の部位の測定データのマーカの表示位置、近接度合、大きさ等に基づいて自動的に調整されるように構成できる。また、ユーザがマニュアルで、マーカの表示位置、大きさ、引き出し線等を調整できるように構成してもよい。
【０１７３】
次に、図１９を参照して、サーバ４１の閲覧制御部１５３と閲覧装置２３の閲覧制御部５５２によって制御される放射温度表示画面６８０について説明する。
【０１７４】
図１９に示す放射温度表示画面６８０は、１つの建物の各部屋のそれぞれの部位について表面温度を測定するよう位置決めされている測定装置２２が、それぞれどの部屋のどの部位に対応付けられているかという設定に基づいて、測定装置２２によって測定された測定データを、対応する部屋の対応する部位にオーバーラップしたマーカとして表示する画面であり、通常、閲覧装置２３のディスプレイ５０７に表示され、建物のユーザ等によって操作・閲覧が行われる。
【０１７５】
図１９に示す放射温度表示画面６８０は、ネットワークＩＤ表示部６８１、間取り画像表示部６８２、および部屋表示部６８４を含む。ネットワークＩＤ表示部６８１では、閲覧したい建物を特定するために指定したネットワークＩＤと、これに対応付けられた建物の名前が表示されている。間取り画像表示部６８２では、ネットワークＩＤに対応付けられた建物の間取り画像が表示されている。この例では、１階（１Ｆ）の間取り画像を表示するよう指示が行われている。
【０１７６】
ここで、ユーザが、間取り画像表示部６８２に表示された間取りにおいて１つの部屋をマウス等で選択すると（矢印６８３）、その部屋に対応する部屋を表す斜視図（３Ｄ画像）が、部屋表示部６８４に表示される。なお、部屋表示部６８４に表示された斜視図は、部屋表示部６８４の左上にあるアイコンをマウス等でクリックした後、斜視図をドラッグすることにより、任意の回転軸で回転させることができ、それぞれの部位を、視認しやすい姿勢に変更することができる。
【０１７７】
部屋表示部６８４に表示された斜視図において、所定のタイミングにおける各部位の表面温度がそれぞれの部位の近傍に配置されたマーカによって表示されている。この例では、２０１５年３月１５日、０時３８分の時点における測定データが表示されているが、日時を指定することによって、または一覧から日時を選択することによって、他のタイミングにおける各部位の表面温度を表示させることができる。また、各部屋の各部位における表面温度を、指定された期間にわたって、時系列にグラフ表示することもできる。
【０１７８】
また、部屋表示部６８４において、斜視図のどの位置に、対応する測定装置２２の測定データ（対応する部位の表面温度）をマーカにより表示させるかについて、他の部位の測定データのマーカの表示位置、近接度合、大きさ等に基づいて自動的に調整されるように構成できる。また、ユーザがマニュアルで、マーカの表示位置、大きさ、引き出し線等を調整し、記憶できるように構成してもよい。
【０１７９】
図１９の放射温度表示画面６８０では、部屋表示部６８４に、間取り画像表示部６８２で選択した部屋（リビング）の斜視図が３Ｄ表示され、各部位の近傍に、対応する測定装置２２で測定された測定データ（表面温度）がマーカで表示されている。例えば、部位「壁西」の表面温度は１４．２℃、部位「壁南」の表面温度は１５．４℃といった表示となっている。
【０１８０】
次に、図２０を参照して、サーバ４１の測定データ分析部１５２によって制御されるメール通知設定画面６９０について説明する。
【０１８１】
図２０に示すメール通知設定画面６９０は、１つの建物の各部屋についての測定データが所定の条件を満たした場合に、指定したメールアドレスに通知を行うよう設定するための画面であり、通常、サーバ４１のディスプレイ１０５に表示され、ユーザによって操作が行われる。
【０１８２】
図２０に示すメール通知設定画面６９０は、ネットワークＩＤ表示部６９１、間取り画像表示部６９２、およびメール通知設定部６９５を含む。ネットワークＩＤ表示部６９１では、図１４に示すセンサ管理画面６００と図１５に示すマーカ追加画面６５０で登録した内容を呼び出すために指定したネットワークＩＤと、これに対応付けられた建物の名前、および間取り画像を特定するための間取り名称が表示されている。間取り画像表示部６９２では、ネットワークＩＤに対応付けられた建物の間取り画像が表示されている。この例では、ユーザの指定に応じて、１階（１Ｆ）の間取り画像を表示するよう指示が行われている。
【０１８３】
ここで、ユーザが、間取り画像表示部６９２に表示された間取りにおいて１つの部屋をマウス等で選択した後（矢印６９３）、メール通知設定ボタン６９４をマウス等でクリックすると、その部屋に関連するメール通知設定を行うメール通知設定部６９５が、ポップアップ表示される。
【０１８４】
ユーザは、メール通知設定部６９５において、指定したメールアドレスにメール通知を行うための条件を、例えば、ルール１やルール２として設定することができる。例えば、監視開始時刻と監視終了時刻が設定され、選択した部屋の温度が所定温度以下となった場合、選択した部屋の温度が所定温度以上となった場合、選択した部屋の湿度が所定のパーセント以下となった場合、選択した部屋の湿度が所定のパーセント以上となった場合のいずれかである場合に、メール通知を行うといった条件である。
【０１８５】
ユーザは、このような条件を設定した後、ルール更新ボタンをマウス等でクリックすると、この条件を保存することができる。メール通知設定を確定するには、設定更新ボタンをマウス等でクリックする。このように設定されたメール通知のための条件は、例えば、サーバ４１の管理用データ１６５に記憶される。
【０１８６】
なお、本実施形態では、１つの選択された部屋に関する条件を設定したメール通知設定を例示したが、これ以外にも様々な組み合わせを用いて条件を設定することができる。例えば、複数の部屋の温度の平均や差が所定の条件を満たした場合にメールを送信するように設定したり、複数の建物に亘って、部屋の温度や湿度が所定の条件を満たした場合にメールを送信するように設定したりすることができる。また、サーバ４１の部屋情報１６３に登録された、各部屋に関する情報を用いて条件を設定することもできる。
【０１８７】
次に、図２１を参照して、サーバ４１の測定データ分析部１５２によって制御されるメール通知設定画面７００について説明する。
【０１８８】
図２１に示すメール通知設定画面７００は、１つの建物の各部屋のそれぞれの部位についての測定データが所定の条件を満たした場合に、指定したメールアドレスに通知を行うよう設定するための画面であり、通常、サーバ４１のディスプレイ１０５に表示され、ユーザによって操作が行われる。
【０１８９】
図２１に示すメール通知設定画面７００は、ネットワークＩＤ表示部７０１、間取り画像表示部７０２、およびメール通知設定部７０５を含む。ネットワークＩＤ表示部７０１では、図１４に示すセンサ管理画面６００と図１５に示すマーカ追加画面６５０で登録した内容を呼び出すために指定したネットワークＩＤと、これに対応付けられた建物の名前、および間取り画像を特定するための間取り名称が表示されている。間取り画像表示部７０２では、ネットワークＩＤに対応付けられた建物の間取り画像が表示されている。この例では、ユーザの指定に応じて、１階（１Ｆ）の間取り画像を表示するよう指示が行われている。
【０１９０】
ここで、ユーザが、間取り画像表示部７０２に表示された間取りにおいて１つの部屋をマウス等で選択した後（矢印７０３）、メール通知設定ボタン７０４をマウス等でクリックすると、その部屋に関連するメール通知設定を行うメール通知設定部７０５が、ポップアップ表示される。
【０１９１】
ユーザは、メール通知設定部７０５において、指定したメールアドレスにメール通知を行うための条件を、例えば、ルール１やルール２として設定することができる。例えば、監視開始時刻と監視終了時刻が設定され、選択した部屋における部位が選択された場合に、その選択された部位の表面温度に基づいて計算された温度が所定温度以下（または以上）となった場合に、メール通知を行うといった条件である。
【０１９２】
ユーザは、このような条件を設定した後、ルール更新ボタンをマウス等でクリックすると、この条件を保存することができる。メール通知設定を確定するには、設定更新ボタンをマウス等でクリックする。このように設定されたメール通知のための条件は、例えば、サーバ４１の管理用データ１６５に記憶される。
【０１９３】
なお、本実施形態では、１つの選択された部屋の部位に関する条件を設定したメール通知設定を例示したが、これ以外にも様々な組み合わせを用いて条件を設定することができる。例えば、複数の部屋に亘った複数の部位に関する表面温度の平均や差が所定の条件を満たした場合にメールを送信するように設定したり、複数の建物に亘って、複数の部屋の複数の部位に関する表面温度が所定の条件を満たした場合にメールを送信するように設定したりすることができる。また、サーバ４１の部屋情報１６３に登録された、各部屋に関する情報を用いて条件を設定することもできる。
【０１９４】
ここまで、図２０と図２１を参照して、メール通知設定に関する例を説明したが、本発明は、このような例示には限定されない。データ収集装置２１や測定装置２２によって測定された測定データに基づいて、様々な条件を設定することができ、これらの様々な条件に応じて、メール通知以外の様々な処理を行うようにすることができる。
【符号の説明】
【０１９５】
１・・・測定情報処理システム
２０・・・データ送信装置
２１・・・データ収集装置
２２・・・測定装置
２３・・・閲覧装置
４１・・・サーバ
４２・・・ネットワーク
【図１】
0006501634.tif 000002
【図２】
0006501634.tif 000003
【図３】
0006501634.tif 000004
【図４】
0006501634.tif 000005
【図５】
0006501634.tif 000006
【図６】
0006501634.tif 000007
【図７】
0006501634.tif 000008
【図８】
0006501634.tif 000009
【図９】
0006501634.tif 000010
【図１０】
0006501634.tif 000011
【図１１】
0006501634.tif 000012
【図１２】
0006501634.tif 000013
【図１３】
0006501634.tif 000014
【図１４】
0006501634.tif 000015
【図１５】
0006501634.tif 000016
【図１６】
0006501634.tif 000017
【図１７】
0006501634.tif 000018
【図１８】
0006501634.tif 000019
【図１９】
0006501634.tif 000020
【図２０】
0006501634.tif 000021
【図２１】
0006501634.tif 000022